(57)【特許請求の範囲】
【請求項１】
末端の壁により一端で閉じられ他端で開口部を形成する包被を含み、重力を受けるもとで該開口部が該末端の壁に対し最下端位置にあるとき、該開口部を通じて通過可能な装入物を収容するバッグであって、該包被が該バッグを閉じるために該開口部でそれ自体で形成されるバッグにおいて、
前記包被が前記末端の壁に対向する端部で特に折り重ねられてそれ自体で切れ目なく、前記バックの開口部が該末端の壁に対し最下端位置にあるとき、前記開口部の上方にあるアウタースリーブと、
前記開口部の周縁を折り曲げることにより形成され、前記バックを内側に閉じるための少なくとも一つの内側の閉じ襞と、
前記内側の閉じ襞が内側に配されるネックと、
前記内側の閉じ襞を前記ネックで覆うように前記ネックを閉じる少なくとも一つの外側の閉じ襞と、
を画定するように形作られることを特徴とするバッグ。
【請求項２】
末端の壁により一端で閉じられ他端で開口部を形成する包被を含み、重力を受けるもとで、該開口部が該末端の壁に対し最下端位置にあるとき、該開口部を通じて通過可能な装入物を収容するバッグであって、該包被が該バッグを閉じるために該開口部でそれ自体で形成されるバッグにおいて、
外側の包被により延在される折り返されたフラップを形成するために前記バッグの開口部の周縁を外側に折り重ね次に内側に折り重ね、
前記バッグを内側で密閉するための少なくとも一つの襞を形成するため前記フラップにおける閉じあわす平行な端部を折り重ね、
前記バッグを外側で密閉するための少なくとも一つの襞を形成するため前記外側の包被における閉じあわす平行な端部を折り重ねることを連続して行うことにより、得られる形態、特に折り重なる部分を、前記包被が前記末端の壁に対向する端部に有することを特徴とするバッグ。
【請求項３】
前記バッグの内側の閉じ襞および／または前記バッグの外側の閉じ襞が溶接、接着、または、締め付けられることを特徴とする請求項１または請求項２に記載のバッグ。
【発明の詳細な説明】
【０００１】
（発明の背景）
本発明は、重力が作用するもとで流れ出る固体微粒子の産物、例えば、粉末か、あるいは、単一物、またはばら詰めされる複合物であるニ以上の産物の装入物を包装しまたは調整するためのバッグに関する。
【０００２】
（従来技術の説明）
さらに詳細には、その発明は、概ね、一端で末端の壁により閉じられ、例えば、重力が作用するもとでバッグが逆さになるとき、流れ出る装入物を、開放時、通過、即ち、素通りさせる開口部を他端で形成する包被を備えるバッグを含んでなる。さらに、包被は、このバッグを閉じるためにその開口部でそれ自体によって形作られ、特に折り重ねられる。
【０００３】
特定の用途として、その出願人である会社は、以下の要求に合致する以前形成したようなバッグについて関心がある。
【０００４】
特にその開口部におけるいかなる汚染も避けるために操作者またはハンドラーのハンドがその開口部の内側または周縁に接触することなく、簡単な操作により片手で開けられること。
【０００５】
また、逆さとなって開放しないとき、バッグ内に収容される製品の装入物の作用を受けてそれ自体で密閉され得ること、即ち、この装入物の作用を受けてその開口部の開放を妨害し得ること。
【０００６】
（発明の概要）
そのバッグの包被における様々な形態、すなわち、折り重なり部分（襞）について試み、本出願人である会社は、包被の切れ目なく、また、いかなる付着される部品、シート、壁がなく得られる上述の要求に合致した以下の形態を見出した。
【０００７】
この形態は、包む、即ち、包被自体を折り重ねることにより得られ、
バッグが逆さにあるとき、即ち、その開口部が最下端にあるとき、開口部の上方にあるアウタースリーブと、
少なくとも一つの内側の閉じ襞と、
内側の閉じ襞が内側に配されるネックと、
ネックを閉じる少なくとも一つの外側の閉じ襞とを含んでなる。
【０００８】
種々の試験を通じて、出願人である会社は、特にこのバッグがそれ自体が外側にある他のバッグの内側に配される場合、および、内側のバッグおよび外側のバッグからなる二つのバッグが部分真空を受ける場合、そのような形態がさらに、そのバッグの開口部の密閉においてある程度の密封性を得ることが可能となることを見出した。
【０００９】
（好ましい実施例の説明）
図１に従えば、固定チャンバ、例えば、クリーンルーム、即ち、無菌室に連通させるための装置に連結されるための使い捨てのアッセンブリが表されている。
【００１０】
このアッセンブリは、概ね、部分真空が作用し得るものであって柔軟な隔壁を有するアウタバッグ１０と、そのアウタバッグ１０を塞ぐためのものであって図示されていないが、シール用ガスケットを備える取り外し可能なシャッタ部品を含んでなる部材１１と、アウタバッグ１０の内側に配され真空とされ得るものであって産物、即ち、固まっていないものの装入物１２を収容するインナーバッグ１とを含んでいる。
【００１１】
バッグ１は、一端で末端の壁３により閉じられ、後述されるように包被２の整形のために閉じられる開口部４を他端で形成している包被２を含んでいる。
【００１２】
図１に示されるように、この形態は、材料、即ち、隔壁の切れ目なしに、また、いずれかの付着されたシートまたは他の隔壁なしに
−そのバッグが逆さになるとき、つまり、その開口部の最下となる、その開口部４の上にあるアウタースリーブ６と、
−少なくともひとつの内側の閉じ襞７と、
−その内側の閉じ襞７が内側に配されるネック８と、
−そのネック８を閉じる少なくとも一つの外側の閉じ襞９と、を定めている。
【００１３】
図２乃至図７に示されるように、この形状は、以下のように得られる。
【００１４】
図２に従えば、出発点は、閉端部３を有し、上部であって外縁を構成する端部２ａとともに開口４を定めるバケツの形をした包被２である。
【００１５】
図３が示すように、形成されるバッグの開口４における端部２ａは、外側の包被２ｃにより延在される折り返されたフラップ２ｂを得るために外側に次に内側に折り返される。
【００１６】
図３及び図４に従えば、そのフラップ２ｂの平行な端部２ｄは、いずれかの折り目を使用して接合され折り返され、そのバッグを内側に閉じるために少なくとも一つの襞７を形成する。
【００１７】
図６に示されるように、その外側の包被２ｅが、内側の閉じた襞７が内側に配されるネック８を得ることを可能にする。
【００１８】
図６および図７に従えば、外側の包被２ｃの平行な端部２ｅは、折り重ねられ、外側にバッグを閉じるために少なくとも一つの襞９を形成する。
【００１９】
必要ならば、内側の閉じ襞７および外側の閉じ襞９は、封止するためにいずれかの適当な溶接、接着または締付けにより、補完されてもよい。
【００２０】
勿論、包被２は、適当な材料、例えば、問題になっている用途に要求される本質的に柔軟性およびシール性を有するいずれかの単一または複合樹脂で作られる。
【００２１】
本発明に従う造形のために、バッグ１が逆さになるとき、装入物１２がバッグ２およびスリーブ６を拡張させ易い。その二重層のためにその後者が、この拡張に抵抗し、特に、装入物の作用を受けて襞７を広げることを防止する。
【００２２】
上述した造形によれば、外側の襞９を片手で引っ張ることにより、包被２全体が、例えば、切断または引き裂くことによりこの開口部でいくつかの孔を作ることなく、従って、その後者を開口させるための取り扱いのためにバッグ１内の汚染の虞がなく、開口部４よりも上方に広げられる。
【図面の簡単な説明】
本発明は、添付図面を参照して説明される。
【図１】  本発明に従うインナバッグを含み、例えば、固定チャンバに連通させるための装置に連結されるための使い捨てのアッセンブリを表す。
【図２】  図１に表される形状となるために装入物（図示されていない）が満たされるバッグの包被を形作るために要されるそれぞれ幾つかの工程をあらわす。
【図３】  図１に表される形状となるために装入物（図示されていない）が満たされるバッグの包被を形作るために要されるそれぞれ幾つかの工程をあらわす。
【図４】  図１に表される形状となるために装入物（図示されていない）が満たされるバッグの包被を形作るために要されるそれぞれ幾つかの工程をあらわす。
【図５】  図１に表される形状となるために装入物（図示されていない）が満たされるバッグの包被を形作るために要されるそれぞれ幾つかの工程をあらわす。
【図６】  図１に表される形状となるために装入物（図示されていない）が満たされるバッグの包被を形作るために要されるそれぞれ幾つかの工程をあらわす。
【図７】  図１に表される形状となるために装入物（図示されていない）が満たされるバッグの包被を形作るために要されるそれぞれ幾つかの工程をあらわす。
【図１】
0004271856.tif 000002
【図２】
0004271856.tif 000003
【図３】
0004271856.tif 000004
【図４】
0004271856.tif 000005
【図５】
0004271856.tif 000006
【図６】
0004271856.tif 000007
【図７】
0004271856.tif 000008